(57)【要約】【課題】  製作が簡単で取り扱いも容易であり、フラッシプレート２０の外観を損なうことなく同プレートを配線器具取付枠１０に取付けることができる配線器具取付装置を提供する。【解決手段】  磁石が吸着する金属板で形成された配線器具取付枠１０と、配線器具取付枠１０の表面側に装着されるフラッシプレート２０とを含む配線器具取付装置において、フラッシプレート２０の裏面側に永久磁石３０を取付け、この永久磁石３０の磁力をもってフラッシプレート２０を配線器具取付枠１０へ固定する。永久磁石３０は、配線器具取付枠１０に対し接近又は離間する方向へ弾性的に撓み可能な板ばね３１を介してフラッシプレート２０の裏面側に取付けてある。【選択図】      図１
2010284005.tif 000002
【特許請求の範囲】
【請求項１】
磁石が吸着する金属板で形成された配線器具取付枠と、前記配線器具取付枠の表面側に装着されるフラッシプレートとを含む配線器具取付装置において、
前記フラッシプレートの裏面側に永久磁石を取付け、当該永久磁石の磁力をもってフラッシプレートを前記配線器具取付枠へ固定することを特徴とする配線器具取付装置。
【請求項２】
前記永久磁石は、前記配線器具取付枠に対し接近又は離間する方向へ弾性的に撓み可能な板ばねを介して前記フラッシプレートの裏面側に取付けてあることを特徴とする請求項１の配線器具取付装置。
【請求項３】
前記板ばねの基端部に設けた取付孔と、前記フラッシプレートの裏面に形成した取付凸部と、前記取付凸部に前記板ばねの取付孔を嵌め合わせた状態で、当該取付凸部に押し込まれて、前記板ばねの抜けを阻止するプッシュナットと、を含むフラッシプレートへの板ばね取付け構造を備えたことを特徴とする請求項２の配線器具取付装置。
【請求項４】
前記配線器具取付枠の適正位置に前記フラッシプレートを位置決めするための位置決め手段を設けたことを特徴とする請求項１乃至３のいずれか一項に記載の配線器具取付装置。
【請求項５】
前記フラッシプレートの表面は、前記永久磁石の磁力により機能部品を吸着固定させる部品固定部を形成していることを特徴とする請求項１乃至４のいずれか一項に記載の配線器具取付装置。
【請求項６】
前記永久磁石が適性位置に吸着固定した状態のとき、当該永久磁石からの磁力線を検出する磁気検出センサを前記配線器具取付枠側に設けたことを特徴とする請求項１乃至５のいずれか一項に記載の配線器具取付装置。
【請求項７】
前記フラッシプレートは、金属鋳造によるダイカスト製としたことを特徴とする請求項１乃至６のいずれか一項に記載の配線器具取付装置。
【発明の詳細な説明】
【技術分野】
【０００１】
この発明は、例えば、室内の壁面等にコンセントやスイッチ、モジュラージャック等の各種配線器具を施設するために用いられる配線器具取付装置に関する。
【背景技術】
【０００２】
この種の配線器具取付装置は、取付枠に配線器具を装着した後、壁面に設けた取付口に配線器具取付枠を固定し、当該取付枠の表面側をフラッシプレートで被覆して見栄えのよい外観が形成される。ここで、フラッシプレートの配線器具取付枠への取付けは、係止爪によるかみ合い係止か、ネジを使った締結による手段が採用されていた。特に、金属製のフラッシプレートの場合は、一般にネジの締結をもって配線器具取付枠へ取付けられていたが、ネジの頭部がフラッシプレートの表面に露出することで外観が損なわれる等の課題があった。そこで、特許文献１では、金属製のフラッシプレートに対しても係合片を係止部へ係合させる構成が開示されている。
【先行技術文献】
【特許文献】
【０００３】
【特許文献１】特開平０９−１８２２４０公報
【発明の概要】
【発明が解決しようとする課題】
【０００４】
上述したように従来の配線器具取付装置は、係止爪によるかみ合い係止か、ネジを使った締結による手段をもって、配線器具取付枠へフラッシプレートが取付けられていたが、係止爪による構造では、プラスチック製のフラッシプレートの場合は係止爪が破損しやすく、施工時などの取り扱いに注意が必要となる課題があった。また、金属製のフラッシプレートに係止爪か又はその係合部を形成した場合は、加工が複雑となり製造コストが高価格化してしまう課題があった。ネジを用いた場合は、上述したとおり、ネジの頭部がフラッシプレートの表面に露出することで外観が損なわれる等の課題があった。
更に、金属製プレートにおいてはプレスでの絞り加工による製造の為、陵線のＲをエッジに出来ないなど意匠上の制限が多くあった。本発明では金属鋳造によるダイキャスト製のシャープエッジの金属製プレートを提供するものである。
【０００５】
本発明はこのような事情に鑑みてなされたもので、製作が簡単で取り扱いも容易であり、フラッシプレートの外観を損なうことなく同プレートを配線器具取付枠に取付けることができる配線器具取付装置の提供を目的とする。
【課題を解決するための手段】
【０００６】
上記目的を達成するために、本発明は、磁石が吸着する金属板で形成された配線器具取付枠と、配線器具取付枠の表面側に装着されるフラッシプレートとを含む配線器具取付装置において、
フラッシプレートの裏面側に永久磁石を取付け、当該永久磁石の磁力をもってフラッシプレートを配線器具取付枠へ固定することを特徴とする。
【０００７】
永久磁石の磁力をもってフラッシプレートを配線器具取付枠へ固定する構成のため、係止爪のように破損のおそれも少なく、取り扱いが容易であり、永久磁石はフラッシプレートの裏面側に取付けるため、同プレートの表面に露出することがなく外観を損なうおそれもない。
【０００８】
ここで、永久磁石は、配線器具取付枠に対し接近又は離間する方向へ弾性的に撓み可能な板ばねを介してフラッシプレートの裏面側に取付ける構成とすることが好ましく、これにより経年変化等の影響を受けて配線器具取付枠とフラッシプレートとの間に寸法誤差が生じても、その誤差を板ばねの弾性変形により吸収でき、がたつくことなく配線器具取付枠にフラッシプレートを吸着固定することが可能となる。
【０００９】
また、フラッシプレートへの板ばね取付け構造を、板ばねの基端部に設けた取付孔と、フラッシプレートの裏面に形成した取付凸部と、取付凸部に板ばねの取付孔を嵌め合わせた状態で、当該取付凸部に押し込まれて、板ばねの抜けを阻止するプッシュナットと、を含む構成とすれば、構成が簡単で各部品の組み付けも容易であり、安価な製作コストで効率的に製作することが可能となる。
【００１０】
また、配線器具取付枠の適正位置にフラッシプレートを位置決めするための位置決め手段を設ければ、当該位置決め手段の機能をもって、容易に永久磁石を配線器具取付枠の適正位置に吸着させることができる。取付凸部や位置決め手段としての位置決めピンの構成は、金属板金の絞り加工製のフラッシプレートでは加工が難しく、金属鋳造によるダイカスト製のフラッシプレートにより初めて容易に製作することが可能となる。
【発明の効果】
【００１１】
以上説明したように、本発明の配線器具取付装置は、永久磁石の磁力をもってフラッシプレートを配線器具取付枠へ固定する構成としたので、製作が簡単で取り扱いも容易であり、フラッシプレートの外観を損なうことなく同プレートを配線器具取付枠に取付けることができる。
【図面の簡単な説明】
【００１２】
【図１】本発明の実施形態に係る配線器具取付装置を示す分解斜視図である。
【図２】同装置に用いられる主要部品を示す図で、（ａ）はプッシュナットの平面図、（ｂ）は同じく正面図、（ｃ）は板ばねの平面図、（ｄ）は同じく正面図、（ｅ）は永久磁石の平面図、（ｆ）は同じく正面図である。
【図３】本発明の実施形態に係る配線器具取付装置の主要部を示す図で、（ａ）はフラッシプレートの正面断面図、（ｂ）はフラッシプレートを配線器具取付枠へ固定した状態を示す正面断面図である。
【図４】フラッシプレートを配線器具取付枠へ固定した状態を示す底面図である。
【図５】２連配置の配線器具取付枠に対してフラッシプレートを固定した状態を示す底面図である。
【図６】３連配置の配線器具取付枠に対してフラッシプレートを固定した状態を示す底面図である。
【図７】本発明の応用例を示す斜視図である。
【発明を実施するための形態】
【００１３】
以下、この発明の実施の形態について図面を参照して詳細に説明する。
図１に示すように、本実施形態に係る配線器具取付装置は、配線器具取付枠１０とフラッシプレート２０とを含んでいる。
周知のとおり、配線器具取付枠１０は、室内の壁面１等に施設され、コンセントやスイッチ、モジュラージャック等の各種配線器具を組み付け固定できる構成となっている。配線器具取付枠１０の一般的な仕様は日本工業規格（ＪＩＳ）に規定されており、また配線器具取付枠１０の先行技術も公報等を通じて多数開示されているため、ここでは詳細な説明を省略する。本実施形態の配線器具取付装置には、各種仕様の配線器具取付枠１０を適用することができる。ただし、その適用条件として、磁石が吸着する金属板で形成されていることが必要である。プラスチック製の配線器具取付枠１０も広く用いられているが、本実施形態の配線器具取付装置には適さない。
【００１４】
フラッシプレート２０は、配線器具取付枠１０の表面側に装着され、同取付枠１０を隠して配線器具取付装置の外観意匠を向上させる機能を有している。フラッシプレート２０についても、一般的な仕様は(社)日本配線器具工業会規格に規定されており、また先行技術も公報等を通じて多数開示されているため、ここでは詳細な説明を省略する。本実施形態の配線器具取付装置には、金属鋳造によるダイカスト製のフラッシプレート２０が好適であるが、これに限定されず金属製、プラスチック製を問わず各種仕様のフラッシプレート２０を適用することができる。
【００１５】
本実施形態の配線器具取付装置は、フラッシプレート２０の裏面側に永久磁石３０を取付け、永久磁石３０の磁力をもってフラッシプレート２０を配線器具取付枠１０へ固定する構造を備えている。すなわち、フラッシプレート２０の裏面４隅に板ばね装着部２１が形成してあり、同装着部２１に板ばね３１が取付け固定される（図１（ｂ）参照）。
板ばね装着部２１は、取付凸部２２が垂直に突き出し、さらに側方に支持壁２３を設けた構造となっている。一方、板ばね３１の基端部には取付孔３１ａが穿設してあり、この取付孔３１ａをフラッシプレート２０の裏面に形成した取付凸部２２へ嵌め合わせた状態で、さらに取付凸部２２へプッシュナット３２を押し込むことにより、板ばね３１が取付凸部２２に固定される。
永久磁石３０、板ばね３１、プッシュナット３２の外観形状は、図２に示すとおりである。
なお、本実施例ではプッシュナットにより永久磁石を取付けた板ばねを固定したが、
取付凸部２２にねじ山を切ることで六角ナットによりねじ止めすることもでき、更には
取付凸部２２の替わりにねじ穴を設けることでネジにより取付けることもできるなど固
定方法は限定されない。
【００１６】
フラッシプレート２０の裏面に取付けられた板ばね３１は、基端を固定端、先端を自由端とする片持ち構造となっており、その先端（自由端）部分に永久磁石３０が接着剤や両面接着テープをもって貼り付けられている。板ばね３１が片持ち構造のため、その自由端に取付けられた永久磁石３０は、板ばね３１の弾性的な撓み変形によって、配線器具取付枠１０に対し接近又は離間する方向へ移動自在である（図３（ａ）（ｂ）参照）。
すなわち、図３（ａ）に示すように、フラッシプレート２０の裏面に取付けられた永久磁石３０は、配線器具取付枠１０の表面側にフラッシプレート２０を装着したとき、同図（ｂ）に示すように、配線器具取付枠１０の表面に吸い付けられる。このとき、板ばね３１が弾性的に撓み変形して永久磁石３０の移動を可能とする。一方、取付凸部２２を中心とする板ばね３１の回転は、支持壁２３とフラッシプレート２０の側壁２４とで規制されている（図４参照）。
【００１７】
なお、板ばね３１を磁性金属材料で形成し、永久磁石３０を自らの磁力で板ばね３１に吸着固定することもできるが、その後、配線器具取付枠１０からフラッシプレート２０を取り外したとき、永久磁石３０が配線器具取付枠１０へ吸着したまま、板ばね３１から外れてしまうおそれがある。そこで、本実施形態では、上述したとおり接着剤や両面接着テープで永久磁石３０を板ばね３１に貼り付けてある。
【００１８】
また、図１に示すように、フラッシプレート２０の裏面には、位置決めピン２５（位置決め手段）が垂直に突き出して設けてある。この位置決めピン２５は、配線器具取付枠１０に設けられた位置決め孔１１に合わせて設けてある。したがって、フラッシプレート２０を配線器具取付枠１０の表面側に装着する際、位置決め孔１１に位置決めピン２５を挿入するだけで、配線器具取付枠１０の適正位置にフラッシプレート２０を装着することができる。なお、本実施形態では、汎用の配線器具取付枠１０において、フラッシプレートをねじ止めするために設けられている雌ねじ部を、位置決め孔１１として利用している。このため、汎用の配線器具取付枠１０を加工することなく、そのまま使用することができる。
【００１９】
上述したように、本実施形態の配線器具取付装置は、フラッシプレート２０の裏面側に永久磁石３０を取付け、永久磁石３０の磁力をもってフラッシプレート２０を配線器具取付枠１０へ固定する構成となっている。この構成は、図４に示した構成の配線器具取付枠１０を２枚並べて施設する２連配置（図５参照）や、配線器具取付枠１０を３枚並べて施設する３連配置（図６参照）の場合にも同様に適用することができる。すなわち、配線器具取付枠１０と対向するフラッシプレート２０の裏面適所に板ばね３１を介して永久磁石３０を取付けるだけでよく、永久磁石３０、板ばね３１、プッシュナット３２といった主要部品は共通のものを使用することができる。
【００２０】
なお、本発明は上述した実施形態に限定されるものではなく、種々の変形実施、応用実施が可能であることは勿論である。
例えば、フラッシプレート２０の表面に、永久磁石３０の磁力により機能部品を吸着固定させる部品固定部を形成すれば、配線器具取付装置の多機能化を実現することができる。機能部品としては、保護カバー、スイッチ操作を容易にするハンドルアダプタ（特開２００５−１９１３６号公報参照）、メモ用プレート、コンセントキャップ、物品掛止用のフックなど、種々の機能を備えた部品を適用することができる。なお、機能部品は、永久磁石３０に吸い付けられる磁性を少なくとも一部（永久磁石３０と近接する部位）に有していることが必要である。
【００２１】
図７は、ハンドルアダプタを永久磁石３０の磁力をもってフラッシプレート２０の表面に装着する応用例を示す斜視図である。
ハンドルアダプタ４０は、例えば、特開２００５−１９１３６号公報に開示されているように大形のスイッチ操作ハンドル４１が組み込まれた機能部品であって、これをフラッシプレート２０の表面に装着することで、同ハンドル４１を介して内部の配線器具（スイッチ）を連動させることができる機能を備えている。
ハンドルアダプタ４０は、永久磁石３０が吸着する金属材料で形成するか、又は永久磁石３０が近接する部位に磁性部材を設けておくだけで、永久磁石３０の磁力をもってフラッシプレート２０の表面に固定することができる。
【００２２】
また本発明は、永久磁石３０が適性位置に吸着固定した状態のとき、当該永久磁石３０からの磁力線を検出する磁気検出センサを配線器具取付枠１０側に設けた構成を付加することもできる。磁気検出センサは、種々の用途に利用することができる。例えば、磁気検出センサにより、配線器具取付枠１０からフラッシプレート２０が取外されたことを検知し、警報を発するセキュリティ装置を構成することができる。近年、配線器具取付枠１０の奥（壁内）に盗聴器を仕掛ける行為が頻発して社会問題化しているが、上述した構成のセキュリティ装置を施設しておけば、このような行為の発見に役立つ。
【符号の説明】
【００２３】
１０：配線器具取付枠、１１：位置決め孔、
２０：フラッシプレート、２１：板ばね装着部、２２：取付凸部、２３：支持壁、２４：側壁、２５：位置決めピン、
３０：永久磁石、３１：板ばね、３１ａ：取付孔、３２：プッシュナット、
４０：ハンドルアダプタ、４１：スイッチ操作ハンドル
【図１】
2010284005.tif 000003
【図２】
2010284005.tif 000004
【図３】
2010284005.tif 000005
【図４】
2010284005.tif 000006
【図５】
2010284005.tif 000007
【図６】
2010284005.tif 000008
【図７】
2010284005.tif 000009